(57)【要約】【課題】  リアクトルの十分な配置スペースが得られるとともに、リアクトルの取り付けが容易な空気調和機の室外機を得ることを目的とする。また、電源の各相にリアクトルを備えて高調波規制をクリアする海外のＹ電源（３相４線式）に対応したインバータ制御で駆動する空気調和機の室外機を得ることを目的としている。【解決手段】  熱交換器２の前方に設けられて送風する上下に隣接して配置した送風機３，４と、上下に配置した送風機３，４を収納するとともにインバータ制御で駆動される圧縮機５を設けた室外機本体１と、を備え、室外機本体１に、上下に配置した送風機３，４の間の近傍の位置で、かつ、上下に配置した両方の送風機３，４の回転範囲から外れた側方位置で、かつ、上下に配置した送風機３，４の軸長の範囲程度に渡る位置にリアクトル９ａ〜９ｃを設けた。【選択図】  図１
2006200860.tif 000002
【特許請求の範囲】
【請求項１】
熱交換器の前方に設けられて送風する上下に隣接して配置した送風機と、前記上下に配置した送風機を収納するとともにインバータ制御で駆動される圧縮機を設けた室外機本体と、を備え、前記室外機本体に、前記上下に配置した送風機の間の近傍の位置で、かつ、前記上下に配置した両方の送風機の回転範囲から外れた側方位置で、かつ、前記上下に配置した送風機の軸長の範囲程度に渡る位置にリアクトルを設けたことを特徴とする空気調和機の室外機。
【請求項２】
前記圧縮機を駆動する３相電源の各相それぞれに前記リアクトルを設けたことを特徴とする請求項１に記載の空気調和機の室外機。
【請求項３】
前記リアクトルを収納したリアクトル収納箱を設け、このリアクトル収納箱を、前記上下の送風機を配置した送風機室と前記圧縮機を配置した機械室とに区画する仕切板に固定したことを特徴とする請求項１または請求項２に記載の空気調和機の室外機。
【請求項４】
前記リアクトル収納箱の上下に手掛け可能な取手を形成したことを特徴とする請求項３に記載の空気調和機の室外機。
【請求項５】
前記リアクトル収納箱を前記仕切板の取付穴に挿入した時に弾性変形して前記取付穴を乗り越える突起形状部をリアクトル収納箱に形成し、前記仕切板を前記リアクトル収納箱のフランジ部と前記突起形状部とで挟み込み、前記リアクトル収納箱を前記仕切板に仮保持させたことを特徴とする請求項３または請求項４に記載の空気調和機の室外機。
【請求項６】
前記突起形状部を前記リアクトル収納箱の上部に設けたことを特徴とする請求項５に記載の空気調和機の室外機
【発明の詳細な説明】
【技術分野】
【０００１】
この発明は、空気調和機の室外機の電気部品の配置に関するものである。
【背景技術】
【０００２】
従来の空気調和機の室外機では、一つの送風機を備えるとともに一つのリアクター（リアクトル）を空気調和機の室外機の上部もしくは床面に配置したものがあった。（例えば、特許文献１参照）
また、従来の空気調和機の室外機では、一つの送風機を備え、送風機の中心とほぼ同じ高さ位置で機械室側に一つのリアクター（リアクトル）を配置したものがあった。（例えば、特許文献２参照）
【０００３】
【特許文献１】特開平５−１１３２３２号公報（第２頁、第１−２図）
【特許文献２】特開平９−２２９４２７号公報（第２−３図）
【発明の開示】
【発明が解決しようとする課題】
【０００４】
従来の空気調和機の室外機では、一つのリアクトルを空気調和機の室外機の上部又は下部あるいは送風機の中心とほぼ同じ高さ位置で機械室側に配置したものがあったが、どの位置でもリアクトルの十分な配置スペースが無く、リアクトルの取り付けや配線などの作業が大変であり、また空気調和機の室外機にさらに重く大きなリアクトルが必要な場合は、リアクトルを配置する十分なスペースがさらに必要になるとともに重量によりリアクトルの取り付けもさらに大変になるという課題があった。
また、近年、海外の空気調和機の室外機において、省エネルギーの効果が得られことから、一定速で駆動する圧縮機を搭載した空気調和機の室外機からインバータ制御により変速駆動する圧縮機を搭載する空気調和機の室外機が注目されてきている。現在、Ｖ電源などの単相電源に対応するインバータ制御で駆動する室外機は、一つのリアクトルを備えて高調波規制をクリアする空気調和機の室外機があるが、しかし、海外のＹ電源（３相４線式）に対応するインバータ制御で駆動する空気調和機の室外機では、高調波規制をクリアする空気調和機の室外機がないという課題があった。
また、海外のＹ電源（３相４線式の電源）に対応するインバータ制御で駆動する圧縮機を備えた空気調和の機室外機は、高調波規制をクリアすることが可能なためにリアクトルを電源の各相に配置する必要があるが、このリアクトルは例えば一例として約９０ｍｍ角の直方体で１個の重量が３〜５ｋｇの重量物であり、３相４線式のＹ電源の場合には３個必要になるため、その総重量は１２〜１５ｋｇとなり、室外機に広い収納スペースが必要であるとともに重量物のために取り付け作業が大変になるという課題があり、従来のような空気調和機の室外機に一つのリアクトルを設けたリアクトルの位置では、スペースが狭く、かつ取り付け作業も大変であるという課題があった。
【０００５】
この発明は上記のような課題を解決するためになされたもので、リアクトルの十分な配置スペースが得られるとともに、リアクトルの取り付けが容易な空気調和機の室外機を得ることを目的とする。また、電源の各相にリアクトルを備えて高調波規制をクリアすることが可能な海外のＹ電源（３相４線式）に対応したインバータ制御で駆動する空気調和機の室外機を得ることを目的とする。
【課題を解決するための手段】
【０００６】
この発明に係わる空気調和機の室外機は、熱交換器の前方に設けられて送風する上下に隣接して配置した送風機と、前記上下に配置した送風機を収納するとともにインバータ制御で駆動される圧縮機を設けた室外機本体と、を備え、前記室外機本体に、前記上下に配置した送風機の間の近傍の位置で、かつ、前記上下に配置した両方の送風機の回転範囲から外れた側方位置で、かつ、前記上下に配置した送風機の軸長の範囲程度に渡る位置にリアクトルを設けたものである。
【発明の効果】
【０００７】
この発明に係わる空気調和機の室外機は、熱交換器の前方に設けられて送風する上下に隣接して配置した送風機と、前記上下に配置した送風機を収納するとともにインバータ制御で駆動される圧縮機を設けた室外機本体と、を備え、前記室外機本体に、前記上下に配置した送風機の間の近傍の位置で、かつ、前記上下に配置した両方の送風機の回転範囲から外れた側方位置で、かつ、前記上下に配置した送風機の軸長の範囲程度に渡る位置にリアクトルを設けたので、リアクトルの十分な配置スペースが得られるとともに、リアクトルの取り付けが容易な空気調和機の室外機を得られる効果が有る。
【発明を実施するための最良の形態】
【０００８】
実施の形態１．
図１はこの発明の実施の形態１における空気調和機の室外機をカバー類を取り外して示す前方から見た斜視図、図２はこの発明の実施の形態１における空気調和機の室外機をカバー類を取り外して示す正面図、図３はこの発明の実施の形態１における空気調和機の室外機をカバー類を取り外して示す上方から見た平面図、図４はこの発明の実施の形態１における空気調和機の室外機のリアクトル収納箱の取り付けを説明する斜視図、図５〜図７はこの発明の実施の形態１におけるリアクトル収納箱の斜視図、図８はこの発明の実施の形態１におけるリアクトル収納箱の仕切板への仮保持動作を説明する要部縦断面説明図である。
【０００９】
図において、空気調和機の室外機の室外機本体１（以下室外機本体と称す）は図示しない室内機と接続されて部屋などの空調を行うものである。この室外機本体１の内部には、熱交換器２と、この熱交換器２の前方に設けられて送風する上下に隣接したて配置した送風機３，４と、インバータ制御で駆動される圧縮機５をそれぞれ配置している。室外機本体１を左右に区画する仕切板６は、室外機本体１を上下の送風機３，４を配置した送風機室７と圧縮機５を配置した機械室８とに区画している。
【００１０】
また、上下の送風機３，４はそれぞれ回転させるモータ３ａ，４ａ備えるとともに、上下の送風機３，４の間は熱交換器２に効率良く送風させるように比較的に近い距離の位置に隣接して配置している。また、この室外機本体１は電気回路を図示しないが電源に３相４線式の交流電源である海外のＹ電源を使用できるようにしたもので、三相電源の各相から交流がコンバータに供給されて変換された後、インバータに供給されインバータで所望の交流に再度変換されて圧縮機５に電源が供給され、圧縮機５をインバータ制御で効率よく駆動できるようにしている。
【００１１】
そして、この３相電源の各相にそれぞれ一つずつ高調波成分を除去する等の働きをするリアクトル９ａ〜９ｃを接続している。この３個のリアクトル９ａ〜９ｃは箱形状のリアクトル収納箱９内に、それぞれ図示しないネジで固定して収納している。そして、このリアクトル９ａ〜９ｃを収納したリアクトル収納箱１０を、仕切板６の上側送風機３と下側送風機４の間の高さ位置に開けた角穴形状の取付穴６ａ部分にネジ１７で固定し、３個のリアクトル９ａ〜９ｃを上側送風機３と下側送風機４の間の側方のスペースに配置するようにしている。
【００１２】
また、Ｙ電源の各相にそれぞれ接続したこのリアクトル９ａ〜９ｃは、一例として例えばそれぞれ１個の形状が約９０ｍｍ角の直方体で重量が３〜５ｋｇの重量物のものがあり、３相４線式のＹ電源の場合には３個必要になり、その総重量は１２〜１５ｋｇになる。従って、リアクトル９ａ〜９ｃを収納したリアクトル収納箱１０の重量もその総重量は１２〜１５ｋｇ程度の重量物となり、形状も３個のリアクトル９ａ〜９ｃ分の大きさが必要で大きな形状となる。
【００１３】
このような重く大きい形状のリアクトル９ａ〜９ｃを室外機本体１に設けるため、図２に示すように３個のリアクトル９ａ〜９ｃをリアクトル収納箱１０に収納して上下に配置した送風機３，４の間の近傍の位置で、かつ、上下に配置した両方の送風機３，４の回転範囲から外れた側方位置に設けるとともに、さらにまた、図３に示すように３個のリアクトル９ａ〜９ｃをリアクトル収納箱１０に収納して上下に配置した送風機３，４の軸長の範囲程度に渡る位置に設けている。なお、この上下送風機３，４の軸長とは図３のＬ寸法で示すように送風機３，４の先端からそれぞれの各モータ３ａ，４ａの後端の範囲である。
【００１４】
このようにリアクトル収納箱１０を介してリアクトル９ａ〜９ｃを配置した上側送風機３と下側送風機４の間の近傍の位置で、かつ、上下に配置した両方の送風機３，４の回転範囲から外れた側方位置で、かつ、上下に配置した送風機３，４の軸長の範囲程度に渡る位置は、図２等に示すように上側送風機３と下側送風機４の羽根の回転範囲から外れた間が回転の中心から側方へ行くにしたがって広がるため、十分なスペースがあり、この広いスペースをリアクトル９ａ〜９ｃの収納するスペースとすることで、他の場所にリアクトル９ａ〜９ｃを配置する場合に比べて室外機本体１を大きくしなくても３個のリアクトル９ａ〜９ｃを配置できるという効果がある。また、リアクトル９ａ〜９ｃは１００℃近くまで温度上昇する部品であるが、上側送風機３と下側送風機４の両方の送風でリアクトル収納箱１０を介してリアクトル９ａ〜９ｃが十分に冷却される効果も得られ、リアクトル９ａ〜９ｃの信頼性が向上するという効果もある。なお、３個のリアクトル９ａ〜９ｃを上下に配置した送風機３，４の軸長の範囲程度に渡る位置に設ける理由は、リアクトル９ａ〜９ｃを送風機３，４の軸長をよりさらに後方の位置に配置した場合、熱交換器２への通風を阻害し、また軸長より前方の位置ではベルマウス（図示せず）等の邪魔になるため、リアクトル９ａ〜９ｃを上下に配置した送風機３，４の軸長の範囲程度に渡る位置設けている。
【００１５】
また、リアクトル９ａ〜９ｃが配設される上側送風機３と下側送風機４の間の高さ位置は、リアクトル９ａ〜９ｃを持ち上げて取り付ける際に、位置が高すぎずに取り付けが行い易い高さであり、また、リアクトル９ａ〜９ｃへの配線やメンテナンス等の作業も上下に作業できる空間があるため作業が行い易いという効果がある。
【００１６】
つまり、リアクトル９ａ〜９ｃを室外機本体１の上部に配置した場合、収納スペースが無いだけでなく、重量物のリアクトル９ａ〜９ｃを持ち上げる作業が大変であり、また、リアクトル９ａ〜９ｃへの配線やメンテナンス等の作業も下方からの作業となって行い難い。また、リアクトル９ａ〜９ｃを室外機本体１の下部に配置した場合、同様に収納スペースが無いだけでなく、低い位置のため水害などの際に浸水し易く、また、配線やメンテナンス等の作業も狭い場所で上方からの作業になるため行い難いが、本実施の形態のようにリアクトル９ａ〜９ｃの取り付け位置を上側送風機３と下側送風機４の間の高さ位置にすることで、取り付けやメンテナンス作業も容易になる。
【００１７】
また、このように高調波規制対策のリアクトル９ａ〜９ｃをＹ電源（３相４線式）の各相それぞれに設けることで、海外のＹ電源に対応したインバータ制御で駆動する空気調和機の室外機を市場へ提供できる。
【００１８】
このように、熱交換器２の前方に設けられて送風する上下に隣接して配置した送風機３，４と、上下に配置した送風機３，４を収納するとともにインバータ制御で駆動される圧縮機５を設けた室外機本体１と、を備え、室外機本体１に、上下に配置した送風機３，４の間の近傍の位置で、かつ、上下に配置した両方の送風機３，４の回転範囲から外れた側方位置で、かつ、上下に配置した送風機３，４の軸長の範囲程度に渡る位置にリアクトル９ａ〜９ｃを設けたので、リアクトル９ａ〜９ｃの十分な配置スペースが得られるとともに、リアクトル９ａ〜９ｃの取り付けやメンテナンス作業等が容易で、また、リアクトル９ａ〜９ｃを冷却できる効果が有る。
【００１９】
また、圧縮機５を駆動する３相電源の各相それぞれにリアクトル９ａ〜９ｃを設けたので、さらに、電源の各相にリアクトル９ａ〜９ｃを備えて高調波規制をクリアすることが可能な海外のＹ電源に対応したインバータ制御で駆動する圧縮機５を有するの室外機本体１を得られる効果がある。
【００２０】
次にリアクトル収納箱１０の詳細な構成について説明する。図５〜図７等に示すようにリアクトル収納箱１０は板金材料を折り曲げて形成したもので、取り付けられる機械室８側の面を開放した箱形状に形成し、開放された箱形状の周囲にフランジ部１１を形成するとともに、リアクトル収納箱１０の上下にはそれぞれ上下のフランジ部１１からそれぞれ延設して手掛け可能な上部取手１２と下部取手１３を形成している。この上部取手１２は上部のフランジ部１１から斜め上方へ折り曲げて延設した部分に手を掛けられるように手掛穴１２ａを形成したもので、手を掛けやすいように切り起し片１２ｂを形成して手掛穴１２ａを形成している。
【００２１】
また、下部取手１３は下部のフランジ部１１から斜め下方に折り曲げて延設して手を掛けられるようにしたもので、その先端部分には、掛けた手が滑り難いように、発泡ゴム等の絶縁部材よりなる滑り止め部材１３ａを貼り付けている。また、フランジ部１１の仕切板６側にはそれぞれ発泡ゴム等の材料からなるパッキン１４がそれぞれ貼り付けられ、リアクトル収納箱１０を仕切板６に取り付けた際に、仕切板６に接触して取付穴６ａ部分をシールするようにしている。また、リアクトル収納箱１０の形状は縦長形状に形成して、３個のリアクトル９ａ〜９ｃをリアクトル収納箱１０内に上下方向に並べて配置固定できるようにしている。
【００２２】
次にリアクトル収納箱１０を取付穴６ａに仮止めする構成について説明する。角穴形状の取付穴６ａに挿入されるリアクトル収納箱１０の上部に設けた突起形状部１５は、薄肉板金等で形成され、リアクトル収納箱１０に溶接で固定したもので、板金の一部を上方へ傾斜した形状にしている。この突起形状部１５は図８（ａ）に示すようにリアクトル収納箱１０を仕切板６の取付穴６ａに挿入した際に取付穴６ａに接触し下方に弾性変形して取付穴６ａを乗り越えると元の形状に戻り、図８（ｂ）に示すように仕切板６をパッキン１４を介してリアクトル収納箱１０の上部のフランジ部１１と突起形状部１５とで挟み込むので、作業者が手を離してもリアクトル収納箱１０が仕切板６に仮保持された状態となり、この状態で容易にネジ１７でリアクトル収納箱１０を仕切板６に固定することができる。
【００２３】
なお、この仮保持用の突起形状部１５はリアクトル収納箱１０の左右や下部にも設けてもよいが、リアクトル収納箱１０を取付穴６ａに挿入する際に、リアクトル収納箱１０と取付穴６ａに隙間があって挿入し易い上部にのみ設けるだけで容易にリアクトル収納箱１０が外れることを安価に防止できる効果もある。また、リアクトル収納箱１０の送風機室７側の面にはリアクトル収納箱１０のネジ穴等を塞ぐように発泡ゴム等のシール部材１６を貼り付けている。
【００２４】
次にリアクトル収納箱１０の室外機本体１内への取付け作業について説明する。重量物である３個のリアクトル９ａ〜９ｃをリアクトル収納箱１０に固定した後、リアクトル収納箱１０の上部に設けられた上部取手１２及びリアクトル収納箱１０の下部に設けられた下部取手１３を組立作業者が手で掴み、持ち上げて室外機本体１の仕切板６へ取り付ける。この際、上部取手１２には作業者が指の関節を掛けて持ち易いように切り起し片１２ｂを設けることで、しっかりとリアクトル収納箱１０の上部を掴む事ができ、また、下部取手１３は、絶縁材などを利用した滑り止め部材１３ａを設けているので、作業者が確実にリアクトル収納箱１０の下部を掴んで支えることができ、容易に取付穴６ａの位置にリアクトル収納箱１０を持ち上げて取り付けることができる。
【００２５】
取手を設ける場合、この実施の形態のように上下に取手１２，１３を設ける場合と左右に設けることも考えられるが、重量物の場合は作業者が左右を同じ高さに持ち上げるのは大変に力のいる作業であり、リアクトル収納箱１０の上下に取手１２，１３を形成することはリアクトル収納箱１０を持ち上げやすくして、作業を行いやすくできるという効果がある。また、取手１２，１３の形状を下部取手１３は重量を受けるように支える形状とし、上部取手１２は手掛穴１２ａを備えて確実に掴める形状としているので、リアクトル収納箱１０を立てた状態に作業者が持ちやすいという効果がある。さらにまた、リアクトル９ａ〜９ｃを上下方向に配置してリアクトル収納箱１０を縦長形状にしているので、上部取手１２と下部取手１３の間の距離が広く作業者がさらにリアクトル収納箱１０を持ちやすくて取り付け作業が行いやすく、かつ、上下の送風機３，４の間の側方のスペースを十分に利用してリアクトル収納箱１０を室外機本体１に配置できるという効果もある。
【００２６】
また、組立作業者がリアクトル収納箱１０を室外機本体１の仕切板６へ取り付ける際に、仮保持させるリアクトル収納箱１０の上部に設けた突起形状部１５は、リアクトル収納箱１０を仕切板６の取付穴６ａへ挿入する際に突起形状部１５が押されながら取付穴６ａへ挿入される。そして、完全に取付穴６ａに挿入されるとそのバネ効果で突起形状部１５は元の形状へ戻り仕切板６に引っかかり仮止めされるので、誤ってリアクトル収納箱１０を落下させる等の不具合を防止でき、作業性を向上できる効果がある。
【００２７】
また、上記の例ではリアクトル９ａ〜９ｃをリアクトル収納箱１０に収納し、上側送風機３と下側送風機４との間の右側方に配置して仕切板６に固定することで、十分なリアクトル９ａ〜９ｃの配置スペースが得られて取り付けが行い易いやすく、かつ、配線等の作業も行い易いものを示したが、リアクトル９ａ〜９ｃを上下の送風機３，４の左右反対側の位置となる上側送風機３と下側送風機４との間の左側方に配置してもよく、室外機本体１に取り付ける部分を設ける必要や配線が長くなる場合があるが、同様にリアクトル９ａ〜９ｃを配置するスペースが有り、また、リアクトル９ａ〜９ｃが取り付け易い高さ位置である効果は同様である。
【００２８】
また、上記の例ではリアクトル９ａ〜９ｃがそれぞれ別体で３個のものを示したが、リアクトル９ａ〜９ｃの概観が連結されて見かけ上一体形状のものであってもよい。また、リアクトル収納箱９の形状も適宜変えことができる。また、リアクトル９ａ〜９ｃをリアクトル収納箱１０に収納して仕切板６に固定し、リアクトル９ａ〜９ｃを室外機本体１に取り付けし易いものを示したが、リアクトル９ａ〜９ｃを仕切板６に直接固定することも可能である。
【００２９】
また、上記の例では３相４線式の電源であるＹ電源の３相の各相にリアクトル９ａ〜９ｃを設けて交流のＹ電源を主電源とした空気調和機の室外機について示したが、単相電源でリアクトルが一つのみでよい室外機本体についても、上記実施の形態と同様に、上下に配置した送風機３，４の間の近傍の位置で、かつ、上下に配置した両方の送風機３，４の回転範囲から外れた側方位置で、かつ、上下に配置した送風機３，４の軸長の範囲程度に渡る位置に一つのリアクトルを配置するようにしてもよく、リアクトルを収納するスペースが十分に有り、また、リアクトルの取り付けが容易で、かつ、リアクトルを冷却できるという同様の効果が得られる。
【００３０】
このようにして、上記実施の形態によれば、熱交換器２の前方に設けられて送風する上下に隣接して配置した送風機３，４と、上下に配置した送風機３，４を収納するとともにインバータ制御で駆動される圧縮機５を設けた室外機本体１と、を備え、室外機本体１に、上下に配置した送風機３，４の間の近傍の位置で、かつ、上下に配置した両方の送風機３，４の回転範囲から外れた側方位置で、かつ、上下に配置した送風機３，４の軸長の範囲程度に渡る位置にリアクトルを設けたので、リアクトルの十分な配置スペースが得られるとともに、リアクトルの取り付けが容易な空気調和機の室外機を得られる効果が有る。
【００３１】
また、圧縮機を駆動する３相電源の各相それぞれにリアクトルを設けたので、さらに、電源の各相にリアクトルを備えて高調波規制をクリアする海外のＹ電源に対応したインバータ制御で駆動する空気調和機の室外機を得られる効果がある。
【００３２】
また、リアクトルを収納したリアクトル収納箱１０を設け、このリアクトル収納箱１０を、上下の送風機３，４を配置した送風機室７と圧縮機５を配置した機械室８とに区画する仕切板６に固定したので、さらに、リアクトルの室外機への取り付けが容易になる。
【００３３】
また、リアクトル収納箱１０の上下に手掛け可能な取手１２，１３を形成したので、リアクトル収納箱１０をさらに取り付け易いという効果がある。
【００３４】
また、リアクトル収納箱１０を仕切板６の取付穴６ａに挿入した時に弾性変形して取付穴６ａを乗り越える突起形状部１５をリアクトル収納箱１０に形成し、仕切板６をリアクトル収納箱１０のフランジ部１１と突起形状部１５とで挟み込み、リアクトル収納箱１０を仕切板６に仮保持させたので、リアクトル収納箱１０をさらに取り付け易いという効果がある。
【００３５】
また、突起形状部１５をリアクトル収納箱１０の上部に設けたので、安価にリアクトル収納箱１０を仕切板６に仮保持させることができるという効果がある。
【図面の簡単な説明】
【００３６】
【図１】この発明の実施の形態１における空気調和機の室外機のカバー類を取り外して示す前方から見た斜視である。
【図２】この発明の実施の形態１における空気調和機の室外機のカバー類を取り外して示す正面図である。
【図３】この発明の実施の形態１における空気調和機の室外機のカバー類を取り外して示す上方から見た平面図である。
【図４】この発明の実施の形態１における空気調和機の室外機のリアクトル収納箱の取り付けを説明する斜視である。
【図５】この発明の実施の形態１におけるリアクトル収納箱の斜視図である。
【図６】この発明の実施の形態１におけるリアクトル収納箱の斜視図である。
【図７】この発明の実施の形態１におけるリアクトル収納箱の斜視図である。
【図８】この発明の実施の形態１におけるリアクトル収納箱の仕切板への仮保持動作を説明する要部縦断面説明図で、（ａ）はリアクトル収納箱が仮保持前の要部縦断面図，（ｂ）はリアクトル収納箱が仮保持状態の要部縦断面図である。
【符号の説明】
【００３７】
１  室外機本体、２  熱交換器、３  送風機、３ａ  モータ、４  送風機、４ａ  モータ、５  圧縮機、６  仕切板、６ａ  取付穴、７  送風機室、８  機械室、９ａ〜９ｃ  リアクトル、１０  リアクトル収納箱、１１  フランジ部、１２  取手（上部取手）、１２ａ  手掛穴、１２ｂ  切り起し片、１３  取手（下部取手）、１３ａ  滑り止め部材、１４  パッキン、１５  突起形状部、１６  シール部材、１７  ネジ。
【図１】
2006200860.tif 000003
【図２】
2006200860.tif 000004
【図３】
2006200860.tif 000005
【図４】
2006200860.tif 000006
【図５】
2006200860.tif 000007
【図６】
2006200860.tif 000008
【図７】
2006200860.tif 000009
【図８】
2006200860.tif 000010